(57)【要約】      （修正有）【課題】光学濃度の高い画像を記録することができるとともに、長期間にわたって画像を記録した後にもインクの吐出安定性に優れたインクジェット記録方法を提供する。【解決手段】インクを吐出する吐出口１と、インクを吐出するためのエネルギーを発生する吐出素子４と、吐出口と吐出素子の間で連通してその内部にインクが流通する第１流路１７及び第２流路１８と、を具備する記録ヘッドからインクを吐出して画像を記録する。吐出口１からインクを吐出する吐出工程と、吐出工程とは別の、第１流路１７内のインクを第２流路１８へと流動させる流動工程と、を有し、インクが、顔料の粒子表面に直接又は他の原子団を介してアニオン性基が結合した自己分散顔料、及びノニオン性界面活性剤を含有する水性インクであり、自己分散顔料の表面電荷量が、０．４０ｍｍｏｌ／ｇ以下である。【選択図】図１
2019014239.tif 000002
【特許請求の範囲】
【請求項１】
インクを吐出する吐出口と、前記インクを吐出するためのエネルギーを発生する吐出素子と、前記吐出口と前記吐出素子の間で連通してその内部に前記インクが流通する第１流路及び第２流路と、を具備する記録ヘッドから前記インクを吐出して画像を記録するインクジェット記録方法であって、
前記吐出口から前記インクを吐出する吐出工程と、
前記吐出工程とは別の、前記第１流路内の前記インクを前記第２流路へと流動させる流動工程と、を有し、
前記インクが、顔料の粒子表面に直接又は他の原子団を介してアニオン性基が結合した自己分散顔料、及びノニオン性界面活性剤を含有する水性インクであり、
前記自己分散顔料の表面電荷量が、０．４０ｍｍｏｌ／ｇ以下であることを特徴とするインクジェット記録方法。
【請求項２】
前記自己分散顔料の表面電荷量が、０．１８ｍｍｏｌ／ｇ以上０．３０ｍｍｏｌ／ｇ以下である請求項１に記載のインクジェット記録方法。
【請求項３】
前記ノニオン性界面活性剤のグリフィン法により求められるＨＬＢ値が、１０．０以上である請求項１又は２に記載のインクジェット記録方法。
【請求項４】
前記ノニオン性界面活性剤が、下記一般式（１）で表される化合物である請求項１乃至３のいずれか１項に記載のインクジェット記録方法。
2019014239.tif 000011
（前記一般式（１）中、ｘ及びｙは、それぞれエチレンオキサイド基の付加数を表す）
【請求項５】
前記インク中の前記ノニオン性界面活性剤の含有量（質量％）が、前記自己分散顔料の含有量（質量％）に対する質量比率で、０．０１倍以上０．５０倍以下である請求項１乃至４のいずれか１項に記載のインクジェット記録方法。
【請求項６】
前記自己分散顔料が、顔料の粒子表面にアニオン性基が直接結合したものである請求項１乃至５のいずれか１項に記載のインクジェット記録方法。
【請求項７】
インクを吐出する吐出口と、前記インクを吐出するためのエネルギーを発生する吐出素子と、前記吐出口と前記吐出素子の間で連通してその内部に前記インクが流通する第１流路及び第２流路と、を具備する記録ヘッドを備えるインクジェット記録装置であって、
さらに、前記吐出素子とは別の、前記第１流路内の前記インクを前記第２流路へと流動させる流動手段を備え、
前記インクが、顔料の粒子表面に直接又は他の原子団を介してアニオン性基が結合した自己分散顔料、及びノニオン性界面活性剤を含有する水性インクであり、
前記自己分散顔料の表面電荷量が、０．４０ｍｍｏｌ／ｇ以下であることを特徴とするインクジェット記録装置。
【発明の詳細な説明】
【技術分野】
【０００１】
本発明は、インクジェット記録方法及びインクジェット記録装置に関する。
【背景技術】
【０００２】
近年、インクジェット記録装置は、オフィス印刷や商業印刷分野での利用が増加しつつある。そして、インクジェット記録装置に対しては、記録速度のさらなる高速化と、記録される画像の光学濃度の向上が要求されている。記録速度を向上させるには、従来のシリアル方式の記録ヘッドを利用して行うマルチパス記録方法よりも、ライン型の記録ヘッド（ラインヘッド）を使用し、いわゆる１パスで画像を記録するインクジェット記録方法が有利である。また、画像の光学濃度は、顔料の凝集性を高めることで向上させることができる。
【０００３】
しかし、顔料の凝集性を高めると、インクの吐出安定性が低下するなど、システム面での信頼性を得にくくなる傾向にある。また、ラインヘッドは、装置の構成上、あるノズルからの吐出が休止している期間や、吐出頻度の低いノズルからの回復処理を行いにくいといった特性がある。特に、吐出頻度の低いノズルがあっても、インクの増粘による吐出性の低下を予防するための予備吐出動作を行いにくい場合がある。
【０００４】
一方、ラインヘッドを使用して１パスで画像を記録する場合、ノズルごとの吐出量の違いが画質に影響を及ぼしやすいため、インクの吐出安定性をこれまで以上に向上させる必要がある。例えば、ノズル内での異物の滞留を抑制すべく、吐出口近傍でインクを流動させる機構を備えたプリントヘッドが提案されている（特許文献１）。
【先行技術文献】
【特許文献】
【０００５】
【特許文献１】特開２００７−１１８６１１号公報
【発明の概要】
【発明が解決しようとする課題】
【０００６】
本発明者らは、記録速度のさらなる高速化及び画像の光学濃度の向上を目的とし、特許文献１で提案された、吐出口近傍でインクを流動させる機構を採用したラインヘッドを使用し、１パスで画像を記録することについて検討した。その結果、顔料の凝集性を高めたインクを用いた場合であっても、吐出安定性が向上しうることがわかった。但し、短期的には吐出安定性が向上するものの、長期間にわたって画像を記録した場合には、吐出量の減少や不吐出などが発生しやすくなることも判明した。
【０００７】
したがって、本発明の目的は、光学濃度の高い画像を記録することができるとともに、長期間にわたって画像を記録した後にもインクの吐出安定性に優れたインクジェット記録方法を提供することにある。また、本発明の別の目的は、このインクジェット記録方法に用いるインクジェット記録装置を提供することにある。
【課題を解決するための手段】
【０００８】
すなわち、本発明によれば、インクを吐出する吐出口と、前記インクを吐出するためのエネルギーを発生する吐出素子と、前記吐出口と前記吐出素子の間で連通してその内部に前記インクが流通する第１流路及び第２流路と、を具備する記録ヘッドから前記インクを吐出して画像を記録するインクジェット記録方法であって、前記吐出口から前記インクを吐出する吐出工程と、前記吐出工程とは別の、前記第１流路内の前記インクを前記第２流路へと流動させる流動工程と、を有し、前記インクが、顔料の粒子表面に直接又は他の原子団を介してアニオン性基が結合した自己分散顔料、及びノニオン性界面活性剤を含有する水性インクであり、前記自己分散顔料の表面電荷量が、０．４０ｍｍｏｌ／ｇ以下であることを特徴とするインクジェット記録方法が提供される。
【発明の効果】
【０００９】
本発明によれば、光学濃度の高い画像を記録することができるとともに、長期間にわたって画像を記録した後にもインクの吐出安定性に優れたインクジェット記録方法を提供することができる。また、本発明によれば、このインクジェット記録方法に用いるインクジェット記録装置を提供することができる。
【図面の簡単な説明】
【００１０】
【図１】記録ヘッドの一例を示す模式図である。
【図２】記録ヘッド内におけるインクの流動状態を説明する模式図である。
【図３】ラインヘッドの一例を示す斜視図である。
【図４】吐出素子基板の断面を示す斜視図である。
【図５】インクジェット記録装置の主要部を示す斜視図である。
【図６】インクの供給系を示す模式図である。
【図７】吐出口近傍におけるインクの流動状態を説明する模式図である。
【図８】ラインヘッドの一例を部分的に示す断面図である。
【発明を実施するための形態】
【００１１】
以下に、好ましい実施の形態を挙げて、さらに本発明を詳細に説明する。本発明においては、化合物が塩である場合は、インク中では塩はイオンに解離して存在しているが、便宜上、「塩を含有する」と表現する。インクジェット用の水性インクのことを、単に「インク」と記載することがある。第１流路及び第２流路を、まとめて「流路」と記載することがある。物性値は、特に断りのない限り、常温（２５℃）における値である。
【００１２】
＜インクジェット記録方法、インクジェット記録装置＞
本発明のインクジェット記録装置は、インクを吐出する吐出口と、インクを吐出するためのエネルギーを発生する吐出素子と、吐出口と吐出素子の間で連通してその内部にインクが流通する第１流路及び第２流路と、を具備する記録ヘッドを備える。さらに、本発明のインクジェット記録装置は、吐出素子とは別の、第１流路内のインクを第２流路へと流動させる流動手段を備える。また、本発明のインクジェット記録方法は、例えば、上記のインクジェット記録装置を使用し、上記の記録ヘッドからインクを吐出して画像を記録する方法である。すなわち、本発明のインクジェット記録方法は、吐出口からインクを吐出する吐出工程と、吐出工程とは別の、第１流路内のインクを第２流路へと流動させる流動工程と、を有する。
【００１３】
図１は、記録ヘッドの一例を示す模式図である。図１に示す記録ヘッドは、インクを吐出する吐出口１と、インクを吐出するためのエネルギーを発生する吐出素子４と、吐出口１と吐出素子４の間で連通してその内部にインクが流通する第１流路１７及び第２流路１８と、を備える。インクは、吐出口１と吐出素子４の間を通って、第１流路１７から第２流路１８（図１中の矢印の方向）へと流動している。インクが流動していないと、吐出口１のメニスカスからの水分蒸発が進行し、これに伴って吐出口１と吐出素子４の間に存在するインクが徐々に増粘する。このため、吐出休止時間が長い場合、次の吐出動作の際に、インクの流体抵抗が増大して吐出しづらくなる場合がある。これに対して、図１中の矢印の方向へとインクが流動していると、メニスカスから水分が蒸発しても、循環流により吐出口１と吐出素子４の間にインクが次々と供給されるので、インクの増粘が抑制され、吐出しづらい状態を生じにくくすることができる。
【００１４】
上記のように、第１流路１７内のインクを第２流路１８へと流動させる流動工程を、吐出口１からインクを吐出する吐出工程とは別に設けることで、ラインヘッドを用いた場合に特に課題となるインクの吐出安定性を向上させることができる。しかし、上記のような流動工程を設けた場合であっても、光学濃度を向上するために凝集性を高めたインクを搭載して長期間にわたって記録すると、吐出量の減少や不吐出などの現象が生じやすくなるといった新たな課題が発生することが判明した。この現象は、以下に示すメカニズムにより発生すると推測される。
【００１５】
図２は、記録ヘッド内におけるインクの流動状態を説明する模式図である。図２（ａ）に示すように、使用直後の記録ヘッド内では、第１流路１７から第２流路１８へとインクが実質的に滞留することなく流動している。しかし、インクを流動させながら記録ヘッドを長期間使用すると、図２（ｂ）に示すように、角部２１、２２などのインクが滞留しやすい部分にインク中の顔料などの固形成分や水溶性有機溶剤が澱みやすく、インクが増粘する。また、吐出口１のメニスカス近傍のインク滞留部２３、２４では、乾燥及び滞留によってインクの増粘が進行する。さらに長期間使用すると、角部２１、２２を起点としてインクの増粘がさらに進行するとともに、インク滞留部２３、２４から増粘物が流路内へと流れ込む。これを繰り返すことで、インクの流量や吐出量の減少、及びインクの固着などが生じ、インクの不吐出が発生すると考えられる。
【００１６】
本発明者らは、インクの流動工程を設けた記録方法において新たに生じた上記の課題を解決すべく、インクの組成について検討した。その結果、以下に示す組成とすることで、光学濃度の高い画像を記録することができるとともに、長期間にわたって画像を記録した後にもインクの吐出安定性を向上させることが可能となることを見出した。すなわち、本発明のインクジェット記録方法では、顔料の粒子表面に直接又は他の原子団を介してアニオン性基が結合した自己分散顔料、及びノニオン性界面活性剤を含有する水性インクを用いる。そして、自己分散顔料として、表面電荷量が０．４０ｍｍｏｌ／ｇ以下のものを用いる。このような構成によって上記の課題が解決される理由を、本発明者らは以下のように推測している。
【００１７】
顔料の粒子表面に直接又は他の原子団を介してアニオン性基が結合した自己分散顔料は、アニオン性基が電気二重層を形成し、それによって生ずる静電反発力により水性媒体中で分散する。アニオン性基の近傍にはカウンターイオンとしてのカチオンが存在する。水分が蒸発していない状態のインク中では、カチオン濃度は低く、アニオン性基により形成される電気二重層に影響を及ぼさないため、顔料の分散状態が安定に保たれる。インク中の水分が蒸発などにより減少するとカチオン濃度が高くなるため、電気二重層の圧縮によって静電反発力が消失し、顔料が凝集する。
【００１８】
自己分散顔料の表面電荷量は、顔料の単位質量当たりのアニオン性基の量を示す指標となる物性値である。表面電荷量が低い、すなわち、アニオン性基が少ない自己分散顔料は、その周囲に存在するカチオンも少なく、凝集しにくい傾向にある。これに加えて、アニオン性基が少ない自己分散顔料の粒子表面には、官能基（アニオン性基、他の原子団とアニオン性基が結合した基）により覆われていない部位（疎水部）が存在する。この疎水部には、ノニオン性界面活性剤の疎水部が疎水性相互作用によって吸着しやすい。ノニオン性界面活性剤が吸着した自己分散顔料は、もともとアニオン性基が少なく、凝集しにくいことも相まって、さらに凝集しにくくなるとともに、生成した凝集物も柔らかくなる。
【００１９】
上述のような理由から、表面電荷量が０．４０ｍｍｏｌ／ｇ以下の自己分散顔料、及びノニオン性界面活性剤を含有するインクとすることで、顔料の凝集性を高め過ぎることなく適度にすることができる。また、顔料の疎水性の粒子表面にノニオン性界面活性剤が吸着することで、角部や滞留部での凝集が緩和されるとともに、凝集物も柔らかくなってインクの増粘及び固着が抑制される。さらに、顔料が適度に凝集することで、記録される画像の光学濃度を高めることができる。
【００２０】
一方、表面電荷量が高い、すなわち、アニオン性基が多い自己分散顔料の周囲には、アニオン性基の対イオンであるカチオンも多く存在する。このため、水分の減少に伴いカチオン濃度が高まった際に、電気二重層が圧縮されやすく、凝集しやすい傾向にある。さらに、アニオン性基が多い自己分散顔料の粒子表面には官能基が密に存在するため、ノニオン性界面活性剤が吸着することもできない。このため、自己分散顔料の表面電荷量が０．４０ｍｍｏｌ／ｇ超であると、顔料の凝集性が高くなりすぎるとともに、生成した凝集物も柔らかくならないので、画像の光学濃度は向上するが、インクの吐出安定性が不十分になる。
【００２１】
自己分散顔料ではなく、樹脂や界面活性剤などの分散剤により分散された顔料を用いると、顔料の凝集性が低いため、分散剤同士が相互作用してインクが増粘しやすく、流量が低下しやすくなってインクの吐出安定性が不十分になる。さらに、液体成分とともに顔料も記録媒体に沈み込みやすいため、光学濃度を高められない場合もある。また、ノニオン性界面活性剤ではなく、アニオン性などのイオン性界面活性剤を用いても、自己分散顔料のアニオン性基やその周囲に存在するカチオンと相互作用して自己分散顔料の疎水部に吸着できないため、インクの吐出安定性が不十分になる。
【００２２】
図３は、ラインヘッドの一例を示す斜視図である。図３に示すように、ラインヘッド１１には、吐出口列が配置された吐出素子基板１０が直線状に配列されている。吐出素子基板１０には、例えば、シアン、マゼンタ、イエロー、及びブラック（ＣＭＹＫ）の各インクに対応する吐出口列が配列されている。
【００２３】
図４は、吐出素子基板の断面を示す斜視図である。図４に示すように、吐出素子基板１０は、吐出口１が形成された吐出口形成部材５と、吐出素子（不図示）が配設された基板３とを備える。吐出口形成部材５と基板３が積層されることで、インクが流動する第１流路１７及び第２流路１８が形成される。第１流路１７は、流入路６中のインクが流入する流入口８から、吐出口１と吐出素子の間の部分までの領域である。また、第２流路１８は、吐出口１と吐出素子との間の部分から、流出路７へとインクが流出する流出口９までの領域である。例えば、圧力の高い流入口８と圧力の低い流出口９といったように、流入口８と流出口９との間に圧力差を持たせれば、圧力の高い方から低い方へ（図４中の矢印の方向へ）とインクを流動させることができる。流入路６及び流入口８を通ったインクは、第１流路１７内に入る。そして、吐出口１と吐出素子との間の部分を通ったインクは、第２流路１８及び流出口９を通って、流出路７へと流れる。
【００２４】
第１流路内のインクを第２流路へと流動させる流動工程は、吐出口からインクを吐出する吐出工程とは別の工程（異なる工程）である。また、流動工程における第１流路から第２流路へのインクの流動は、吐出口と吐出素子の間へのインクの充填とは別に行うことが好ましい。流動工程は、吐出口からインクを排出することなく、第１流路内のインクを第２流路へと流動させる工程であることが好ましい。吐出口からのインクの排出には、予備吐出や吸引などの回復動作が含まれる。記録ヘッドの回復動作の際には、第１流路から第２流路へのインクの流動は停止させてもよい。さらに、流動工程では、吐出素子とは別の流動手段によって、第１流路から第２流路へとインクを流動させることが好ましい。
【００２５】
以下、熱エネルギーを発生する吐出素子を利用し、気泡を発生させてインクを吐出するサーマル方式の記録ヘッドを例に挙げて、本発明のインクジェット記録方法及びインクジェット記録装置のさらなる詳細について説明する。但し、ピエゾ方式の記録ヘッドや、その他の吐出方式が採用された記録ヘッドであっても、本発明のインクジェット記録方法及びインクジェット記録装置に適用することができる。さらに、インク収容部と記録ヘッドの間でインクを循環させる形態を例に挙げて説明するが、それ以外の形態であってもよい。例えば、記録ヘッドの上流側と下流側に２つのインク収容部を設け、一方のインク収容部から他方のインク収容部へとインクを流動させる形態であってもよい。ここでは、ＣＭＹＫの４色のインクを吐出可能な吐出素子基板が直線状に配列されたラインヘッドを例に挙げて説明するが、４色のインクにそれぞれ対応する吐出素子基板を設けたラインヘッドを用いることもできる。また、ラインヘッド以外の記録ヘッドとして、走査させながら画像を記録するシリアルヘッドを用いることもできる。本発明では、サーマル方式でインクを吐出するラインヘッドを用いることが特に好ましい。
【００２６】
図５は、インクジェット記録装置の主要部を示す斜視図である。図５に示すインクジェット記録装置１０００は、記録媒体１５を搬送する搬送部１６と、記録媒体の搬送方向と直交して配置されるラインヘッド１１とを備える。インクジェット記録装置１０００は、複数の記録媒体１５を連続して、又は間欠的に搬送しながら画像を記録するラインヘッド１１を備える。記録媒体１５としては、カット紙だけでなくロール紙を用いることもできる。記録媒体としては、どのようなものを用いてもよい。なかでも、普通紙や非コート紙などのコート層を有しない記録媒体、及び、光沢紙やアート紙などのコート層を有する記録媒体のような、浸透性を有する紙を用いることが好ましい。
【００２７】
流動工程では、インクを連続的に流動させる又は間欠的に流動させることが好ましい。以下、インクを連続的に流動させる方法、及びインクを間欠的に流動させる方法の詳細について説明する。まず、図６を参照しつつ、インクを連続的に流動させる方法について説明する。図６は、インクの供給系を示す模式図である。図６に示すラインヘッド１１は、第１循環ポンプ（高圧側）１００１、第１循環ポンプ（低圧側）１００２、バッファタンク１００３、及び第２循環ポンプ１００４などに接続されている。説明を簡略化するために、図６では１色のインクが流動する経路のみを示しているが、実際にはＣＭＹＫの４色分の流動経路がラインヘッド１１にそれぞれ設けられている。
【００２８】
インク収容部であるメインタンク１００６に接続されるバッファタンク１００３は、大気連通口（不図示）を有しており、インク中の気泡を外部に排出することが可能である。バッファタンク１００３は、補充ポンプ１００５にも接続されている。画像の記録や吸引回復など、吐出口からインクを吐出（排出）することにより、ラインヘッド１１でインクが消費される。補充ポンプ１００５は、消費量に対応する量のインクをメインタンク１００６からバッファタンク１００３へと移送する。
【００２９】
第１循環ポンプ（高圧側）１００１及び第１循環ポンプ（低圧側）１００２は、液体接続部１１１から流出させたラインヘッド１１内のインクを、バッファタンク１００３へと流す。第１循環ポンプとしては、定量的な送液能力を有する容積型ポンプを用いることが好ましい。このような容積型ポンプの具体例としては、チューブポンプ、ギアポンプ、ダイヤフラムポンプ、シリンジポンプなどを挙げることができる。吐出ユニット３００の駆動時には、第１循環ポンプ（高圧側）１００１及び第１循環ポンプ（低圧側）１００２によって、共通流入路２１１及び共通流出路２１２内にインクを流動させることができる。
【００３０】
負圧制御ユニット２３０は、相互に異なる制御圧が設定された２つの圧力調整機構を備える。圧力調整機構（高圧側）Ｈ及び圧力調整機構（低圧側）Ｌは、それぞれ、インクから異物を取り除くフィルタ２２１を設けた供給ユニット２２０を経由して、吐出ユニット３００内の共通流入路２１１及び共通流出路２１２に接続されている。吐出ユニット３００には、共通流入路２１１、共通流出路２１２、並びに吐出素子基板１０と連通する流入路６及び流出路７が設けられている。流入路６及び流出路７は、共通流入路２１１及び共通流出路２１２と連通しているため、共通流入路２１１から吐出素子基板１０の内部流路を通過して共通流出路２１２へとインクの一部が流れる流れ（図６中の矢印）が発生する。吐出素子基板１０の内部流路におけるインクの流れは、図４中の矢印で示されている。すなわち、図４に示すように、第１流路１７内のインクは、吐出口１と吐出素子の間を通って第２流路１８へと流動する。
【００３１】
図６に示すように、共通流入路２１１には圧力調整機構Ｈが接続されているとともに、共通流出路２１２には圧力調整機構Ｌが接続されているため、流入路６と流出路７の間には圧力差が生じている。これにより、流入路６と連通する流入口８（図４）と、流出路７と連通する流出口９（図４）との間にも、圧力差が生じている。流入口と流出口の圧力差によりインクを流動させる場合、インクの流速（ｍｍ／ｓ）は、０．１ｍｍ／ｓ以上１０．０ｍｍ／ｓ以下に制御することが好ましい。
【００３２】
本発明のインクジェット記録方法では、記録ヘッドの回復動作中にも、第１流路内のインクを第２流路へと流動させてもよい。記録ヘッドの回復動作中にインクが流動すると、定常的にインクが流動することになる。定常的にインクが流動すると水分が蒸発しやすくなり、循環するインクの濃度が上昇しやすくなる。インクの濃度上昇を抑制すべく、一定時間の経過によりインクに水を加える機構をインクジェット記録装置に設けることが好ましい。さらに、インクの濃度を検出する検出器をインクジェット記録装置に配設し、検知したインクの濃度上昇と連動させてインクに水を加えることが好ましい。
【００３３】
図７は、吐出口近傍におけるインクの流動状態を説明する模式図である。吐出口近傍におけるインクの流動状態は２種類に大別される。１つ目は、図７（ａ）に示すような、吐出口のメニスカス１２の近傍に循環流が生じない流動状態である。２つ目は、図７（ｂ）に示すような、吐出口のメニスカス１２の近傍に循環流が生ずる流動状態である。流路内のインクの流速が同等であっても、メニスカス１２の近傍におけるインクの流動状態は一定にならない場合がある。インクがいずれの流動状態になるのかは、流路内のインクの流速よりも、吐出口形成部材の厚さ（ｃ）、流路の高さ（ｄ）、及び吐出口の直径（ｅ）に依存すると考えられる。例えば、流路の高さ（ｄ）と吐出口の直径（ｅ）が同等である場合、吐出口形成部材の厚さ（ｃ）が大きいと、図７（ｂ）に示すようにメニスカス１２の近傍に循環流が生じやすくなる。
【００３４】
次いで、図８を参照しつつ、インクを間欠的に流動させる方法について説明する。図８は、ラインヘッドの一例を部分的に示す断面図である。図８に示すように、流入口２１０から流入したインクは、インクの流動手段である循環ポンプ２０６の作用によって矢印の方向へと流動し、流出口２１２から流出する。また、循環ポンプ２０６は、インクを間欠的に流動させることができるポンプである。このため、循環ポンプ２０６を駆動させることで、吐出口１１６と吐出素子２１６の間にインクを間欠的に流動させることができる。インクを間欠的に流動させる場合、インクの流速（ｍ／ｓ）は、１．０ｍ／ｓ以上１０．０ｍ／ｓ以下に制御することが好ましい。
【００３５】
＜インク＞
本発明のインクジェット記録方法及びインクジェット記録装置で用いるインクは、自己分散顔料、及びノニオン性界面活性剤を含有するインクジェット用の水性インクである。以下、インクを構成する各成分やインクの物性について詳細に説明する。
【００３６】
（自己分散顔料）
インクに含有させる色材は、顔料の粒子表面に直接又は他の原子団を介してアニオン性基が結合した自己分散顔料である。顔料の具体例としては、カーボンブラック、酸化チタンなどの無機顔料；アゾ、フタロシアニン、キナクリドン、イソインドリノン、イミダゾロン、ジケトピロロピロール、ジオキサジンなどの有機顔料を挙げることができる。なかでも、カーボンブラックが好ましい。インク中の自己分散顔料の含有量（質量％）は、インク全質量を基準として、０．１０質量％以上１０．０質量％以下であることが好ましい。
【００３７】
アニオン性基としては、−ＣＯＯＭ、−ＳＯ3Ｍ、−ＰＯ3Ｍ2などを挙げることができる。Ｍは、それぞれ独立に、水素原子；アルカリ金属；アンモニウム（ＮＨ4）；有機アンモニウムを表す。他の原子団（−Ｒ−）としては、アルキレン基；アリーレン基；アミド基；スルホニル基；イミノ基；カルボニル基；エステル基；エーテル基；これらの基を組み合わせた基などを挙げることができる。なかでも、−ＣＯＯＭ、−Ｃ6Ｈ3−（ＣＯＯＭ）2が顔料の粒子表面に結合した自己分散顔料が好ましい。特に、顔料の粒子表面にカルボン酸基などのアニオン性基が直接結合している自己分散顔料は、他の原子団を介してアニオン性基が結合している自己分散顔料に比べ、顔料の粒子表面に結合している官能基による立体障害が少ない。このため、ノニオン性界面活性剤が顔料の粒子表面に効率よく吸着することができ、インク流路の澱み部での凝集を抑制する効果が高く、吐出安定性をより向上させることができる。
【００３８】
顔料の粒子表面にカルボン酸基が直接結合した自己分散顔料は、種々の方法により製造される。生産性やコストの観点から、過酸化水素水や次亜塩素酸塩などの酸化剤で顔料を酸化処理する方法や、オゾンガスで顔料を酸化処理する方法などの酸化処理方法によって製造した自己分散顔料を用いることが好ましい。
【００３９】
顔料の粒子表面にカルボン酸基が直接結合しているか否かについては、例えば、以下のようにして確認することができる。自己分散顔料を含有する顔料分散液を密閉容器に入れ、高温環境下で一定期間（例えば、６０℃で２週間）保存する。その後、遠心分離処理して自己分散顔料を沈殿させ、上澄み液を分取する。分取した上澄み液をイオンクロマトグラフィーにより分析する。同様にして、保存前の顔料分散液を遠心分離処理し、分取した上澄み液をイオンクロマトグラフィーにより分析する。これらの分析結果から、ギ酸、酢酸、及びシュウ酸などの低分子の有機カルボン酸類が保存により増加しているか否かを確認する。そして、有機カルボン酸類の増加が認められれば、顔料の粒子表面にカルボン酸基が直接結合していると判断することができる。インクから適切な方法により抽出した顔料を用いて確認することも勿論可能である。
【００４０】
自己分散顔料の表面電荷量（ｍｍｏｌ／ｇ）は、自己分散顔料が有するアニオン性基の量を表す指標として利用することができる。インクに用いる自己分散顔料の表面電荷量は、０．４０ｍｍｏｌ／ｇ以下であり、好ましくは０．１８ｍｍｏｌ／ｇ以上０．３０ｍｍｏｌ／ｇ以下である。表面電荷量が０．１８ｍｍｏｌ／ｇ未満であると、顔料の凝集性が弱く、画像の光学濃度を向上させる効果がやや低下することがある。一方、表面電荷量が０．３０ｍｍｏｌ／ｇよりも大きいと、顔料の凝集性が強いため、インクの吐出安定性がやや低下することがある。
【００４１】
自己分散顔料の表面電荷量は、コロイド滴定により測定することができる。後述する実施例においては、流動電位滴定ユニット（ＰＣＤ−５００）を搭載した電位差自動滴定装置（商品名「ＡＴ−５１０」、京都電子工業製）を使用し、電位差を利用したコロイド滴定によって顔料分散液中の自己分散顔料の表面電荷量を測定した。より具体的には、顔料分散液を純水で約３００倍（質量基準）に希釈した後、必要に応じて水酸化カリウムでｐＨを約１０に調整し、５ｍｍｏｌ／Ｌのメチルグリコールキトサンを滴定試薬として用いて電位差滴定を行った。インクから適切な方法により抽出した顔料を用いて表面電荷量を測定することも勿論可能である。
【００４２】
（ノニオン性界面活性剤）
インクは、ノニオン性界面活性剤を含有する。ノニオン性界面活性剤としては、アセチレングリコールのエチレンオキサイド付加物、ポリオキシエチレンアルキルエーテルなどの炭化水素系の界面活性剤；パーフルオロアルキルエチレンオキサイド付加物などのフッ素系の界面活性剤；ポリエーテル変性シロキサン化合物などのシリコーン系の界面活性剤などを挙げることができる。但し、シロキサン化合物などのシリコーン系の界面活性剤やポリオキシエチレン−ポリオキシプロピレンのブロック共重合体タイプの界面活性剤については、含有量をごく少量（含有量で０．０５質量％以下程度）とするか、使用しないことが好ましい。
【００４３】
インク中のノニオン性界面活性剤の含有量（質量％）は、自己分散顔料（質量％）の含有量に対する質量比率で、０．０１倍以上０．５０倍以下であることが好ましい。上記の質量比率が０．０１倍未満であると、ノニオン界面活性剤が自己分散顔料に対して少なすぎるため、吐出安定性の向上効果がやや低下することがある。一方、上記の質量比率が０．５０倍以上であると、ノニオン性界面活性剤が自己分散顔料に対して多すぎる。このため、記録媒体へのインクの濡れ性が高まりやすく、顔料の凝集が過度に抑制される場合がある。これにより、自己分散顔料が記録媒体の深さ方向に沈み込みやすく、画像の光学濃度がやや低下することがある。
【００４４】
ノニオン性界面活性剤のグリフィン法により求められるＨＬＢ値は、１０．０以上であることが好ましく、１８．０以下であることがさらに好ましい。グリフィン法によるＨＬＢ値は、「ＨＬＢ値＝２０×界面活性剤の親水性基の式量／界面活性剤の分子量」の式から算出することができる。グリフィン法により求められるＨＬＢ値は、界面活性剤の親水性や親油性の程度を表す物性値であり、０．０乃至２０．０の値をとる。ＨＬＢ値が小さいほど親油性が高く、ＨＬＢ値が大きいほど親水性が高い。ノニオン性界面活性剤のＨＬＢ値が１０．０未満であると、吸着した凝集物に対する親水性付与能が低く、増粘したインクを流動させにくくなる場合がある。このため、インクの吐出安定性を十分に向上させづらい場合がある。
【００４５】
ノニオン性界面活性剤は、下記一般式（１）で表される化合物であることが好ましい。
【００４６】
2019014239.tif 000003
（前記一般式（１）中、ｘ及びｙは、それぞれエチレンオキサイド基の付加数を表す）
【００４７】
一般式（１）で表される化合物は、界面、特に顔料の粒子表面に素早く配向する。このため、澱み部やメニスカス部において増粘したインクに対して速やかに配向し、さらなる増粘を有効に抑制することで、インクの吐出安定性をさらに向上させることができる。一般式（１）中、ｘ＋ｙは、１．３以上１０．０以下であることが好ましい。ｘ＋ｙが１．３未満であると、吸着した凝集物に対する親水性付与能が低く、増粘したインクを流動させにくくなる場合がある。このため、インクの吐出安定性の向上効果がやや低下することがある。一方、ｘ＋ｙが１０．０超であると、親水性が高すぎる場合があり、増粘したインクへの配向が遅くなってインクの吐出安定性の向上効果がやや低下することがある。
【００４８】
（水性媒体）
本発明のインクジェット記録方法で用いるインクは、水性媒体として少なくとも水を含有する水性のインクである。インクには、水、又は水及び水溶性有機溶剤の混合溶媒である水性媒体を含有させることができる。水としては、脱イオン水やイオン交換水を用いることが好ましい。水性インク中の水の含有量（質量％）は、インク全質量を基準として、５０．０質量％以上９５．０質量％以下であることが好ましい。また、水性インク中の水溶性有機溶剤の含有量（質量％）は、インク全質量を基準として、３．０質量％以上５０．０質量％以下であることが好ましい。水溶性有機溶剤としては、アルコール類、（ポリ）アルキレングリコール類、グリコールエーテル類、含窒素化合物類、含硫黄化合物類などのインクジェット用のインクに使用可能なものをいずれも用いることができる。
【００４９】
（その他添加剤）
インクには、上記成分以外にも必要に応じて、樹脂、消泡剤、その他の界面活性剤、ｐＨ調整剤、粘度調整剤、防錆剤、防腐剤、防黴剤、酸化防止剤、還元防止剤など種々の添加剤を含有させてもよい。
【実施例】
【００５０】
以下、実施例及び比較例を挙げて本発明をさらに詳細に説明するが、本発明は、その要旨を超えない限り、下記の実施例によって何ら限定されるものではない。成分量に関して「部」及び「％」と記載しているものは特に断らない限り質量基準である。
【００５１】
＜顔料分散液の調製＞
（自己分散顔料の表面電荷量）
流動電位滴定ユニット（ＰＣＤ−５００）を搭載した電位差自動滴定装置を使用し、５ｍｍｏｌ／Ｌのメチルグリコールキトサンを滴定試薬として用いた電位差滴定により、顔料分散液中の自己分散顔料の表面電荷量を測定した。電位差自動滴定装置としては、商品名「ＡＴ−５１０」（京都電子工業製）を使用した。
【００５２】
（顔料分散液１〜６、１５）
カーボンブラック（比表面積２２０ｍ2／ｇ、ＤＢＰ吸油量１０５ｍＬ／１００ｇ）をイオン交換水に予備分散させた後、表１に示す時間オゾン処理を行った。その後、水酸化カリウムを添加して混合物のｐＨを７程度に調整しながら、液−液衝突型の分散機を用いて混合物を３時間循環させた後、限外ろ過により精製した。次いで、水酸化カリウム水溶液でｐＨを１０．０に調整し、カーボンブラックの粒子表面に−ＣＯＯＫ基が結合した自己分散顔料を得た。適量の水を添加して顔料の含有量を調整し、顔料の含有量が１５．０％である顔料分散液１〜６、１５を得た。
【００５３】
2019014239.tif 000004
【００５４】
（顔料分散液７〜１２、１６）
水５．５ｇに濃塩酸５．０ｇを溶かした溶液を５℃に冷却した状態とし、この状態で表２に示す使用量の４−アミノフタル酸を加えた。この溶液の入った容器をアイスバスに入れ、撹拌して溶液の温度を１０℃以下に保持しながら、５℃のイオン交換水９．０ｇに亜硝酸ナトリウム１．８ｇを溶かして得た溶液を加えた。１５分間撹拌後、カーボンブラック（比表面積２２０ｍ2／ｇ、ＤＢＰ吸油量１０５ｍＬ／１００ｇ）６．０ｇを撹拌下で加え、さらに１５分間撹拌してスラリーを得た。得られたスラリーをろ紙（商品名「標準用濾紙Ｎｏ．２」、アドバンテック製）でろ過し、粒子を十分に水洗し、１１０℃のオーブンで乾燥させた。その後、イオン交換法によりナトリウムイオンをカリウムイオンに置換して、カーボンブラックの粒子表面に−Ｃ6Ｈ3−（ＣＯＯＫ）2基が結合した自己分散顔料を得た。適量の水を添加して顔料の含有量を調整し、顔料の含有量が１５．０％である顔料分散液７〜１２、１６を得た。
【００５５】
2019014239.tif 000005
【００５６】
（顔料分散液１３）
酸価１６０ｍｇＫＯＨ／ｇ、重量平均分子量１０，０００のスチレン−アクリル酸共重合体を１０％水酸化カリウム水溶液で中和した。カーボンブラック（比表面積２２０ｍ2／ｇ、ＤＢＰ吸油量１０５ｍＬ／１００ｇ）１０．０部、中和したスチレン−アクリル酸共重合体（固形分）５．０部、及びイオン交換水８５．０部を混合して混合物を得た。サンドグラインダーを使用して得られた混合物を１時間分散した後、遠心分離処理して粗大粒子を除去した。さらに、ポアサイズ３．０μｍのミクロフィルター（富士フイルム製）で加圧ろ過して、カーボンブラックが樹脂によって水中に分散された状態の顔料分散液１３を得た。顔料分散液１３中の顔料の含有量は１５．０％、樹脂分散剤の含有量は７．５％であった。
【００５７】
（顔料分散液１４）
カーボンブラック（比表面積２２０ｍ2／ｇ、ＤＢＰ吸油量１０５ｍＬ／１００ｇ）１５．０部、アニオン性界面活性剤（商品名「パイオニンＡ−５１−Ｂ」、有効濃度７０％、竹本油脂製）２．０部、及びイオン交換水８３．０部を混合して混合物を得た。サンドグラインダーを使用して得られた混合物を１時間分散した後、遠心分離処理して粗大粒子を除去した。さらに、ポアサイズ３．０μｍのミクロフィルター（富士フイルム製）で加圧ろ過して、カーボンブラックがアニオン性界面活性剤によって水中に分散された状態の顔料分散液１４を得た。顔料分散液１４中の顔料の含有量は１５．０％、アニオン性界面活性剤の含有量は１．４％であった。
【００５８】
＜樹脂の合成＞
（ウレタン樹脂１）
撹拌機、温度計、窒素ガス導入管、及び還流管を備えた４つ口フラスコを用意した。このフラスコに、イソホロンジイソシアネート３２．０部、ヘキサメチレンジイソシアネート２４．２部、数平均分子量２，０００のポリプロピレングリコール１１１．２部、ジメチロールプロピオン酸２８．７部、及びメチルエチルケトン３００．０部を入れた。窒素ガス雰囲気下、８０℃で６時間反応させた後、トリメチロールプロパン（架橋剤）３．８部を添加して、イソシアネート基の存在が確認されなくなるまで８０℃で反応させた。イソシアネート基の存在は、フーリエ変換型赤外分光光度計（ＦＴ−ＩＲ）を使用して分析することで確認した。４０℃まで冷却した後、イオン交換水を添加して、ホモミキサーで高速撹拌しながら水酸化カリウム水溶液を添加した。加熱減圧下でメチルエチルケトンを留去し、樹脂の含有量が２０．００％であるウレタン樹脂１を含む液体を調製した。ウレタン樹脂１の酸価は６０ｍｇＫＯＨ／ｇ、ゲルパーミエーションクロマトグラフィーにより測定した重量平均分子量は３５，０００であった。
【００５９】
（アクリル樹脂１）
スチレン８１．０部、及びアクリル酸１９．０部を常法により共重合させて、アクリル樹脂１を合成した。アクリル樹脂１の酸価と等モル量の水酸化カリウムでカルボン酸基を中和し、適量の純水を添加して、樹脂の含有量が２０．００％であるアクリル樹脂１を含む液体を調製した。アクリル樹脂１の酸価は１４８ｍｇＫＯＨ／ｇ、ゲルパーミエーションクロマトグラフィーにより測定した重量平均分子量は１０，０００であった。
【００６０】
＜界面活性剤の準備＞
界面活性剤の特性を表３に示す。表３中、「アセチレノールＥ１００」、「アセチレノールＥ００」、「アセチレノールＥ４０」、及び「アセチレノールＥ６０」は、いずれも川研ファインケミカル製のノニオン性界面活性剤の商品名である。表３中、「ＮＩＫＫＯＬ  ＢＳ−４」、「ＮＩＫＫＯＬ  ＢＣ−２０」、「ＮＩＫＫＯＬ  ＢＬ−２５」、及び「ＮＩＫＫＯＬ  ＢＯ−５０」は、いずれも日光ケミカルズ製のノニオン性界面活性剤の商品名である。
【００６１】
2019014239.tif 000006
【００６２】
＜インクの調製＞
表４−１〜４−３の上段に示す各成分（単位：％）を混合し、十分撹拌した後、ポアサイズ３．０μｍのセルロースアセテートフィルター（アドバンテック製）にて加圧ろ過して、各インクを調製した。表４−１〜４−３の下段には、界面活性剤の含有量Ｓ（％）、顔料の含有量Ｐ（％）、及びＳ／Ｐの値（倍）を示した。
【００６３】
2019014239.tif 000007
【００６４】
2019014239.tif 000008
【００６５】
2019014239.tif 000009
【００６６】
＜評価＞
図５に示す主要部を有するインクジェット記録装置のインク収容部（不図示）に各インクを充填し、温度２５℃、相対湿度５０％の環境で、以下に示す各評価を行った。記録ヘッドとしては、図６に示す構成を有するライン型の記録ヘッドを使用した。この記録ヘッドは、１つのノズルにつき、吐出口と吐出素子の間で連通する第１流路及び第２流路を具備し、ポンプを利用して第１流路内のインクを第２流路へと流動させるものである。ノズル列１列当たりのノズル数は１０２４個、ノズル密度は６００ｄｐｉ、１ノズル当たりのインク吐出量は５ｎｇである。以下の評価では、ノズル列を２列分使用し、１／６００インチ×１／６００インチの単位領域にインク滴を３滴付与する条件で、１５インチ／秒の速度で記録媒体を搬送して画像を記録した。また、記録ヘッド内のインクの温度が４０℃となるように加温した。本発明においては、下記の各項目の評価基準で、「ＡＡ」、「Ａ」、及び「Ｂ」を許容できるレベル、「Ｃ」を許容できないレベルとした。評価結果を表５に示す。なお、参考例１についてはインクを流動させない条件で評価しようとしたが、インクを正常に吐出させることができなかった。
【００６７】
（光学濃度）
上記のインクジェット記録装置を使用し、流速１．０ｍｍ／ｓでインクを連続的に流動させながら、３ｃｍ×２ｃｍのベタ画像を記録媒体（普通紙）に記録した。記録媒体としては、商品名「ＰＢ  Ｐａｐｅｒ」、「Ｃａｎｏｎ  Ｅｘｔｒａ」（以上、キヤノン製）；商品名「Ｂｒｉｇｈｔ  ｗｈｉｔｅ」（ヒューレッドパッカード製）を使用した。記録後、温度２５℃、相対湿度５０％の環境に１日載置して乾燥させた後、反射濃度計（商品名「マクベスＲＤ−９１８」、グレタグマクベス製）を使用して画像の光学濃度を測定した。３種の記録媒体に記録した画像の光学濃度の平均値を算出し、以下に示す評価基準にしたがって光学濃度を評価した。
ＡＡ：光学濃度の平均値が１．４０以上であった。
Ａ：光学濃度の平均値が１．３５以上１．４０未満であった。
Ｂ：光学濃度の平均値が１．３０以上１．３５未満であった。
Ｃ：光学濃度の平均値が１．３０未満であった。
【００６８】
（吐出安定性）
上記のインクジェット記録装置を使用し、流速１．０ｍｍ／ｓでインクを連続的に流動させながら、ラインヘッドを構成する全てのノズルを用いてＡ４サイズの記録媒体（普通紙）１０枚の全面にベタ画像を連続して記録した。記録媒体としては、商品名「高品位専用紙ＨＲ−１０１Ｓ」（キヤノン製）を使用した。画像を記録した後、引き続きインクを流動させながら、記録ヘッドの吐出口面をキャップして１時間記録を休止した。その後、上記と同様の条件で１０枚分のベタ画像を記録した。このサイクルを５００回繰り返した後、吸引回復操作を行った。各ノズルからのインクの吐出状態を確認し、以下に示す評価基準にしたがって吐出安定性を評価した。
ＡＡ：吸引回復操作を１回行うことによって、全ての吐出口から正常にインクが吐出される状態となった。
Ａ：吸引回復操作を１回行った時点では不吐出や吐出よれが生ずる吐出口があったが、吸引回復操作をさらに１回行うことによって、全ての吐出口から正常にインクが吐出される状態となった。
Ｂ：吸引回復操作を２回行った時点では不吐出や吐出よれが生ずる吐出口があったが、吸引回復操作をさらに１回行うことによって、全ての吐出口から正常にインクが吐出される状態となった。
Ｃ：吸引回復操作を３回行っても、不吐出や吐出よれが生ずる吐出口があった。
【００６９】
2019014239.tif 000010
【図１】
2019014239.tif 000012
【図２】
2019014239.tif 000013
【図３】
2019014239.tif 000014
【図４】
2019014239.tif 000015
【図５】
2019014239.tif 000016
【図６】
2019014239.tif 000017
【図７】
2019014239.tif 000018
【図８】
2019014239.tif 000019